(57)【特許請求の範囲】
【請求項１】
オーナー端末が接続されるＬＡＮポートと、
制御トラフィック量を取得する無線ドライブ部と、
前記ＬＡＮポートにおけるパケットの送受信量を取得するＬＡＮ側送受信量処理部と、
前記ＬＡＮ側送受信量処理部によって取得された前記送受信量から、前記制御トラフィック量を減算して前記オーナー端末の送受信量を求める監視部と、を備えるゲートウェイ装置。
【請求項２】
オーナー端末およびゲスト端末が接続されるＬＡＮポートと、
インターネットに接続されるＷＡＮポートと、
前記ゲスト端末の送受信量を取得する統計情報処理部と、
前記ＷＡＮポートにおけるパケットの送受信量を取得するＷＡＮ側送受信量処理部と、
前記ＷＡＮ側送受信量処理部によって取得された前記送受信量から、前記ゲスト端末の送受信量を減算して前記オーナー端末の送受信量を求める監視部と、を備えるゲートウェイ装置。
【請求項３】
前記監視部によって求められる前記オーナー端末の送受信量が閾値未満の場合に、ファームウェアの更新を行うファームウェア更新部をさらに備えることを特徴とする請求項１または２に記載のゲートウェイ装置。
【請求項４】
オーナー端末が接続されるＬＡＮポートを備えるゲートウェイ装置における送受信量取得方法であって、
制御トラフィック量を取得する工程と、
前記ＬＡＮポートにおけるパケットの送受信量を取得する工程と、
前記取得された前記送受信量から、前記制御トラフィック量を減算して前記オーナー端末の送受信量を求める工程と、を含む送受信量取得方法。
【請求項５】
オーナー端末およびゲスト端末が接続されるＬＡＮポートおよびインターネットに接続されるＷＡＮポートを備えるゲートウェイ装置における送受信量取得方法であって、
前記ゲスト端末の送受信量を取得する工程と、
前記ＷＡＮポートにおけるパケットの送受信量を取得する工程と、
前記取得された前記送受信量から、前記ゲスト端末の送受信量を減算して前記オーナー端末の送受信量を求める工程と、を含む送受信量取得方法。
【請求項６】
オーナー端末およびゲスト端末が接続されるＬＡＮポートと、
インターネットに接続されるＷＡＮポートと、
前記ＬＡＮポートまたは前記ＷＡＮポートにおけるパケットの第一の送受信量を取得する送受信量処理部と、
前記オーナー端末の通信と異なる他の通信により生じる第二の送受信量を、前記送受信量処理部によって取得された前記第一の送受信量から減算して、前記オーナー端末の第三の送受信量を求める監視部と、を備えるゲートウェイ装置。
【発明の詳細な説明】
【技術分野】
【０００１】
本発明は、公衆無線ＬＡＮアクセスポイント機能を有するゲートウェイ装置およびゲートウェイ装置における送受信量取得方法に関するものである。
【背景技術】
【０００２】
従来、ゲートウェイ装置において、有線または無線ＬＡＮに接続したＬＡＮポート側の各インターフェイスおよび電話端末ごとのパケットの送受信量を取得する技術が知られている。例えば特許文献１には、一定周期での各インターフェイスのパケット流量を取得して閾値と比較し、取得したパケット流量が閾値未満の場合には、省電力モードへ移行することが記載されている。また、従来のゲートウェイ装置の機能として、ＷＡＮポート側のパケットの送受信量を一定時間監視し、一定時間内の送受信量が閾値未満であれば、ゲートウェイ装置のファームウェアを更新する機能が知られている。
【先行技術文献】
【特許文献】
【０００３】
【特許文献１】特開２０１０−１８７２９６号公報
【発明の概要】
【発明が解決しようとする課題】
【０００４】
特許文献１に記載される方式では、ＬＡＮポート側で取得される無線通信端末とのパケットの送受信量には、データ通信トラフィックと制御トラフィックが含まれる。データ通信トラフィックは、実際に送受信するデータを含むトラフィックであり、宛先と送信元のアドレスフィールドを有している。また、制御トラフィックは、データ通信トラフィックの送受信を支援したり、無線ネットワークの存在を通知したりする動作を行うトラフィックである。そのため、無線通信端末がデータ通信を行っていない場合にも、制御トラフィックが送受信量としてカウントされ、省電力モードへの移行ができないことがある。
【０００５】
また、従来のゲートウェイ装置では、ゲートウェイ装置に帰属させたゲスト端末の通信状況によってＷＡＮポート側の送受信量が閾値以上となり、ファームウェアの更新が実施できなくなることがある。この場合、オーナーユーザが意図した時にファームウェア更新が実施できず、装置に問題が生じた場合などに、改修ファームウェア等の更新が実施できなくなってしまう。
【０００６】
本発明は、目的の動作に応じた送受信量を取得することができるゲートウェイ装置および送受信量取得方法を提供することを目的とする。
【課題を解決するための手段】
【０００７】
本発明に係るゲートウェイ装置は、オーナー端末が接続されるＬＡＮポートと、制御トラフィック量を取得する無線ドライブ部と、ＬＡＮポートにおけるパケットの送受信量を取得するＬＡＮ側送受信量処理部と、ＬＡＮ側送受信量処理部によって取得された送受信量から、制御トラフィック量を減算してオーナー端末の送受信量を求める監視部と、を備える。また、本発明に係るゲートウェイ装置は、オーナー端末およびゲスト端末が接続されるＬＡＮポートと、インターネットに接続されるＷＡＮポートと、ゲスト端末の送受信量を取得する統計情報処理部と、ＷＡＮポートにおけるパケットの送受信量を取得するＷＡＮ側送受信量処理部と、ＷＡＮ側送受信量処理部によって取得された送受信量から、ゲスト端末の送受信量を減算してオーナー端末の送受信量を求める監視部と、を備える。
【０００８】
本発明に係る送受信量取得方法は、オーナー端末が接続されるＬＡＮポートを備えるゲートウェイ装置における送受信量取得方法であって、制御トラフィック量を取得する工程と、ＬＡＮポートにおけるパケットの送受信量を取得する工程と、取得された送受信量から、制御トラフィック量を減算してオーナー端末の送受信量を求める工程と、を含む。また、本発明に係る送受信量取得方法は、オーナー端末およびゲスト端末が接続されるＬＡＮポートおよびインターネットに接続されるＷＡＮポートを備えるゲートウェイ装置における送受信量取得方法であって、ゲスト端末の送受信量を取得する工程と、ＷＡＮポートにおけるパケットの送受信量を取得する工程と、取得された送受信量から、ゲスト端末の送受信量を減算してオーナー端末の送受信量を求める工程と、を含む。
【発明の効果】
【０００９】
本発明に係るゲートウェイ装置および送受信量取得方法によれば、ＬＡＮポートの送受信量またはＷＡＮポートの送受信量からオーナー端末の送受信量を取得することができ、オーナーユーザが意図したファームウェアの更新またはモードの切替えなどの目的の動作を行うことができる。
【図面の簡単な説明】
【００１０】
【図１】本発明の実施の形態１における無線通信システムの概略構成図である。
【図２】本発明の実施の形態１におけるオーナーデータ量の取得動作を示すシーケンス図である。
【図３】本発明の実施の形態２における無線通信システムの概略構成図である。
【図４】本発明の実施の形態２におけるオーナーデータ量の取得動作を示すシーケンス図である。
【発明を実施するための形態】
【００１１】
以下、図面を参照して本発明のゲートウェイ装置の実施の形態を詳細に説明する。
【００１２】
実施の形態１．
図１は、本発明の実施の形態１における無線通信システム１００の概略構成図である。本実施の形態の無線通信システム１００は、オーナー端末１およびゲスト端末２と、ゲートウェイ装置３とからなる。オーナー端末１は、ゲートウェイ装置３の所有者であり、管理者でもあるオーナーユーザの無線通信端末である。ゲスト端末２は、公衆無線ＬＡＮ機能を利用する一般ユーザであるゲストユーザの無線通信端末である。オーナー端末１は、オーナー用ＳＳＩＤに帰属してオーナー通信を行い、ゲスト端末２はゲスト用ＳＳＩＤに帰属してゲスト通信を行う。また、本実施の形態においては、オーナー端末１とゲスト端末２は、同じ通信プロトコルＡを用いて無線通信を行う。
【００１３】
ゲートウェイ装置３は、例えばホームゲートウェイ装置であり、ＬＡＮポート８に接続されるオーナー端末１およびゲスト端末２と、ＷＡＮポート９に接続されるインターネット６との間におけるパケット通信の中継を行う。図１に示すように  ゲートウェイ装置３は、無線ドライバ部１０と、ＬＡＮ側送受信量処理部２０と、スローパス転送処理部３０と、ファストパス転送処理部４０と、ＷＡＮ側送受信量処理部５０と、監視部６０と、ファームウェア更新部７０とを備える。また、スローパス転送処理部３０は、通信プロトコル制御部３１およびスローパス統計情報処理部３２を備え、ファストパス転送処理部４０は、通信プロトコル制御部４１およびファストパス統計情報処理部４２を備える。
【００１４】
上記各部は、ゲートウェイ装置３が備える図示しないＣＰＵ（Central Processing Unit、中央処理装置、処理装置、演算装置、マイクロプロセッサ、マイクロコンピュータ、プロセッサともいう）によって、メモリ（図示せず）に記憶されるソフトウェア、ファームウェア、またはソフトウェアとファームウェアとの組み合わせが実行されることにより実現される。または、上記各部は、単一回路、複合回路、ＡＳＩＣ（application specific integrated circuit）、ＦＰＧＡ（field-programmable gate array）、またはこれらを組み合わせた専用のハードウェアで構成されてもよい。
【００１５】
無線ドライバ部１０は、制御トラフィックを取得して、無線通信を制御する。ＬＡＮ側送受信量処理部２０は、ＬＡＮポート８におけるＳＳＩＤごとのパケットの送受信量を取得する。スローパス転送処理部３０は、通常転送パスの処理部であり、ファストパス転送処理部４０は、高速転送パスの処理部である。通信プロトコル制御部３１および４１は、ＬＡＮ側とＷＡＮ側とのプロトコル変換等、通信プロトコルの制御を行う。スローパス統計情報処理部３２およびファストパス統計情報処理部４２は、オーナー端末１の送受信量であるオーナーデータ量と、ゲスト端末２の送受信量であるゲストデータ量とを取得する。
【００１６】
ＷＡＮ側送受信量処理部５０は、ＷＡＮポート９におけるパケットの送受信量を取得する。監視部６０は、ＬＡＮポート８における通信を一定時間監視し、オーナーデータ量を求める。オーナーデータ量は、オーナー端末１の送受信量である。ファームウェア更新部７０は、監視部６０で求められたオーナーデータ量に応じてファームウェア更新を行う。具体的には、ファームウェア更新部７０は、予め設定された閾値を有し、オーナーデータ量が閾値未満の場合にはファームウェアの更新を行い、閾値以上の場合にはファームウェアの更新を行わない。
【００１７】
次に、本実施の形態における無線通信について説明する。図１では、制御トラフィックを二重線で示し、データ通信トラフィックのファストパス転送されるオーナー通信を実線、スローパス転送されるオーナー通信を破線、ファストパス転送されるゲスト通信を一点鎖線、スローパス転送されるゲスト通信を二点鎖線でそれぞれ示す。図１に示すように、制御トラフィックは、無線ドライバ部１０により取得される。そして、制御トラフィックの送受信量は、ＬＡＮ側送受信量処理部２０によってオーナー用ＳＳＩＤに帰属するパケットの送受信量として取得される。
【００１８】
オーナー端末１とインターネット６とのデータ通信は、通常転送の場合はスローパス転送処理部３０で処理され、高速転送の場合はファストパス転送処理部４０で処理される。オーナー端末１のデータ通信の送受信量は、ＬＡＮ側送受信量処理部２０にてオーナー用ＳＳＩＤに帰属するパケットの送受信量として取得される。また、ゲスト端末２とインターネット６とのデータ通信は、通常転送の場合はスローパス転送処理部３０で処理され、高速転送の場合はファストパス転送処理部４０で処理される。ゲスト端末２のデータ通信の送受信量は、ＬＡＮ側送受信量処理部２０にてゲスト用ＳＳＩＤに帰属するパケットの送受信量として取得される。
【００１９】
上記のように、オーナー端末１またはゲスト端末２がゲートウェイ装置３を通してインターネット６と通信を行うと、ＬＡＮ側送受信量処理部２０によってオーナー用ＳＳＩＤおよびゲスト用ＳＳＩＤごとのパケットの送受信量が取得される。ＬＡＮ側送受信量処理部２０によって取得される送受信量は、データ通信トラフィックと制御トラフィックとを加算したものである。ここで、ファームウェア更新部７０が、ＬＡＮ側送受信量処理部２０で取得したパケットの送受信量に応じてファームウェアの更新を行う場合、オーナー端末１がデータ通信を行っていない場合にも、制御トラフィックが送受信量として取得されるため、正確なオーナーデータ量に基づいたファームウェアの更新ができないことがある。そこで、本実施の形態のゲートウェイ装置３では、監視部６０において、オーナー用ＳＳＩＤに帰属するパケットの送受信量から制御トラフィックを減算し、オーナー端末１によるオーナーデータ量のみを取得する。
【００２０】
図２は、本実施の形態におけるオーナーデータ量の取得動作を示すシーケンス図である。図２に示すように、監視部６０は、無線ドライバ部１０における一定時間の制御トラフィック量を取得する（Ｓ１）。また、監視部６０は、ＬＡＮ側送受信量処理部２０における一定時間のオーナー用ＳＳＩＤに帰属するパケットの送受信量を取得する（Ｓ２）。そして、オーナー用ＳＳＩＤに帰属するパケットの送受信量から、制御トラフィック量を減算し、オーナーデータ量を求める（Ｓ３）。ファームウェア更新部７０は、監視部６０からオーナーデータ量を取得する（Ｓ４）。そして、取得したオーナーデータ量と閾値とを比較し、比較結果に応じてファームウェアの更新を行う（Ｓ５）。
【００２１】
以上のように、本実施の形態によれば、ゲートウェイ装置３において、ＬＡＮポート８におけるパケットの送受信量からオーナーデータ量を取得することができる。また、パケットの送受信量から制御トラフィックを除外してオーナーデータ量を求めることで、制御トラフィックがファームウェアを更新する際の閾値以上の場合でも、ファームウェアの更新を行うことができる。
【００２２】
実施の形態２．
次に本発明の実施の形態２について説明する。実施の形態２では、ＷＡＮポート９におけるパケットの送受信量に基づいてファームウェアの更新を行う点において、実施の形態１と相違する。以下の説明において、実施の形態１と同様の構成については、同じ符号を付す。
【００２３】
図３は、本実施の形態における無線通信システム１００Ａの概略構成図である。本実施の形態の無線通信システム１００Ａは、オーナー端末１およびゲスト端末２と、ゲートウェイ装置３Ａとからなる。オーナー端末１およびゲスト端末２は、実施の形態１と同様である。ただし、本実施の形態においては、オーナー端末１は通信プロトコルＡを用いて無線通信を行い、ゲスト端末２は通信プロトコルＢを用いて無線通信を行う。
【００２４】
ゲートウェイ装置３Ａは、例えばホームゲートウェイ装置であり、ＬＡＮポート８に接続されるオーナー端末１およびゲスト端末２と、ＷＡＮポート９に接続されるインターネット６との間におけるパケット通信の中継を行う。図３に示すように  ゲートウェイ装置３Ａは、スローパス転送処理部３０と、ファストパス転送処理部４０と、ＷＡＮ側送受信量処理部５０と、ファームウェア更新部７０と、ＷＡＮ側監視部８０と、を備える。また、スローパス転送処理部３０は、通信プロトコル制御部３１およびスローパス統計情報処理部３２を備え、ファストパス転送処理部４０は、通信プロトコル制御部４１およびファストパス統計情報処理部４２を備える。
【００２５】
スローパス転送処理部３０は、通常転送パスの処理部であり、ファストパス転送処理部４０は、高速転送パスの処理部である。通信プロトコル制御部３１および４１は、ＬＡＮ側とＷＡＮ側とのプロトコル変換等、通信プロトコルの制御を行う。また、本実施の形態の通信プロトコル制御部３１および４１は、プロトコルの違いによってオーナー端末１からの通信とゲスト端末２からの通信とを判別する。具体的には、通信プロトコル制御部３１および４１は、プロトコルが通信プロトコルＡの場合は、オーナー端末１が通信していると判断し、プロトコルが通信プロトコルＢの場合はゲスト端末２が通信していると判別する。スローパス統計情報処理部３２およびファストパス統計情報処理部４２は、オーナー端末１の送受信量であるオーナーデータ量と、ゲスト端末２の送受信量であるゲストデータ量とを取得する。
【００２６】
ＷＡＮ側送受信量処理部５０は、ＷＡＮポート９におけるパケットの送受信量を取得する。ＷＡＮ側送受信量処理部５０は、スローパス統計情報処理部３２およびファストパス統計情報処理部４２によって集計処理されるオーナーデータ量とゲストデータ量の総計をＷＡＮポート９におけるパケットの送受信量として取得する。ＷＡＮ側監視部８０は、ＷＡＮポート９における通信を一定時間監視し、オーナーデータ量を求める。オーナーデータ量は、オーナー端末１の送受信量である。ファームウェア更新部７０は、ＷＡＮ側監視部８０で求められたオーナーデータ量に応じてファームウェア更新を行う。具体的には、ファームウェア更新部７０は、予め設定された閾値を有し、オーナーデータ量が閾値未満の場合にはファームウェアの更新を行い、閾値以上の場合にはファームウェアの更新を行わない。
【００２７】
次に、本実施の形態における無線通信について説明する。図３では、データ通信トラフィックのファストパス転送されるオーナー通信を実線、スローパス転送されるオーナー通信を破線、ファストパス転送されるゲスト通信を一点鎖線、スローパス転送されるゲスト通信を二点鎖線でそれぞれ示す。
【００２８】
オーナー端末１とインターネット６とのデータ通信が通常転送の場合、スローパス転送処理部３０で処理される。スローパス転送処理部３０では、通信プロトコル制御部３１にてオーナー端末１の通信であると判別され、スローパス統計情報処理部３２にてオーナーデータ量として集計処理される。また、オーナー端末１とインターネット６とのデータ通信が高速転送の場合、ファストパス転送処理部４０で処理される。ファストパス転送処理部４０では、通信プロトコル制御部４１にてオーナー端末１の通信であると判別され、ファストパス統計情報処理部４２にてオーナーデータ量として集計処理される。
【００２９】
オーナー端末１とインターネット６とのデータ通信が通常転送の場合、スローパス転送処理部３０で処理される。スローパス転送処理部３０では、通信プロトコル制御部３１にてオーナー端末１の通信であると判別され、スローパス統計情報処理部３２にてオーナーデータ量として集計処理される。また、オーナー端末１とインターネット６とのデータ通信が高速転送の場合、ファストパス転送処理部４０で処理される。ファストパス転送処理部４０では、通信プロトコル制御部４１にてオーナー端末１の通信であると判別され、ファストパス統計情報処理部４２にてオーナーデータ量として集計処理される。
【００３０】
同様に、ゲスト端末２とインターネット６とのデータ通信が通常転送の場合、スローパス転送処理部３０で処理される。スローパス転送処理部３０では、通信プロトコル制御部３１にてゲスト端末２の通信であると判別され、スローパス統計情報処理部３２にてゲストデータ量として集計処理される。また、ゲスト端末２とインターネット６とのデータ通信が高速転送の場合、ファストパス転送処理部４０で処理される。ファストパス転送処理部４０では、通信プロトコル制御部４１にてゲスト端末２の通信であると判別され、ファストパス統計情報処理部４２にてゲストデータ量として集計処理される。
【００３１】
そして、ＷＡＮ側送受信量処理部５０によって、ＷＡＮポート９におけるパケットの送受信量として、スローパス統計情報処理部３２とファストパス統計情報処理部４２で集計されたオーナーデータ量とゲストデータ量の総計が取得される。
【００３２】
上記のように、オーナー端末１またはゲスト端末２がゲートウェイ装置３Ａを通してインターネット６と通信を行うと、ＷＡＮ側送受信量処理部５０によってＷＡＮポート９におけるパケットの送受信量（オーナーデータ量とゲストデータ量の総計）を取得することができる。ここで、ファームウェア更新部７０が、ＷＡＮ側送受信量処理部５０で取得したパケットの送受信量に応じてファームウェア更新を行う場合、ゲスト端末２の通信状況によっては送受信量が閾値以上になる場合があり、ファームウェア更新ができないことがある。この場合、オーナーユーザが意図した時にファームウェアの更新が実施できなくなってしまう。そこで、本実施の形態のゲートウェイ装置３Ａでは、監視部６０において、ＷＡＮポート９におけるパケットの送受信量からゲストデータ量を減算し、オーナー端末１によるオーナーデータ量のみを取得する。
【００３３】
図４は、本実施の形態におけるオーナーデータ量の取得動作を示すシーケンス図である。図４に示すように、ＷＡＮ側監視部８０は、ファストパス統計情報処理部４２における一定時間のゲストデータ量を取得する（Ｓ１１）。また、ＷＡＮ側監視部８０は、スローパス統計情報処理部３２における一定時間のゲストデータ量を取得する（Ｓ１２）。さらに、ＷＡＮ側送受信量処理部５０から、ＷＡＮポート９におけるパケットの送受信量（オーナーデータ量とゲストデータ量の総計）を取得する（Ｓ１３）。そして、ＷＡＮポート９におけるパケットの送受信量からファストパス統計情報処理部４２から取得したゲストデータ量およびスローパス統計情報処理部３２から取得したゲストデータ量を減算し、オーナーデータ量を求める（Ｓ１４）。ファームウェア更新部７０は、ＷＡＮ側監視部８０からオーナーデータ量を取得する（Ｓ１５）。そして、取得したオーナーデータ量と閾値とを比較し、比較結果に応じてファームウェアの更新を行う（Ｓ１６）。
【００３４】
以上のように、本実施の形態によれば、ゲートウェイ装置３Ａにおいて、ＷＡＮポート９におけるパケットの送受信量からゲストデータ量を減算してオーナーデータ量を取得することができる。また、このように取得したオーナーデータ量に基づいてファームウェアの更新を行うことで、ゲスト端末２の通信状況に関係なくファームウェア更新を行うことができる。
【００３５】
以上が本発明の実施の形態の説明であるが、本発明は、上記の実施の形態の構成に限定されるものではなく、その技術的思想の範囲内で様々な変形または組み合わせが可能である。例えば、上記実施の形態１および２においては、オーナーデータ量に基づいてファームウェアの更新を行う構成としたが、これに限定されるものではなく、動作モードの切り替えなど、種々の目的の動作を行う契機としてオーナーデータ量を用いてもよい。
【００３６】
また、実施の形態２においては、ＷＡＮポート９の送受信量からゲストデータ量を減算してオーナーデータ量を取得する構成としたが、ファストパス統計情報処理部４２から取得したオーナーデータ量と、スローパス統計情報処理部３２から取得したオーナーデータ量とを加算して、オーナーデータ量を求めてもよい。
【符号の説明】
【００３７】
１  オーナー端末、２  ゲスト端末、３、３Ａ  ゲートウェイ装置、６  インターネット、８  ＬＡＮポート、９  ＷＡＮポート、１０  無線ドライバ部、２０  ＬＡＮ側送受信量処理部、３０  スローパス転送処理部、３１、４１  通信プロトコル制御部、３２  スローパス統計情報処理部、４０  ファストパス転送処理部、４２  ファストパス統計情報処理部、５０  ＷＡＮ側送受信量処理部、６０  監視部、７０  ファームウェア更新部、８０  ＷＡＮ側監視部、１００、１００Ａ  無線通信システム。
【図１】
0006617572.tif 000002
【図２】
0006617572.tif 000003
【図３】
0006617572.tif 000004
【図４】
0006617572.tif 000005